(57)【特許請求の範囲】
【請求項１】
ミシン本体内に収納されて糸駒を垂直に保持して装着する糸立て台と、該糸立て台の上方に配設されて糸駒からの糸の引き出しを案内する糸駒糸案内と、該糸駒糸案内により案内された糸をミシンの下糸巻き軸に装着された下糸ボビンに案内するようにした収納式の糸立て台のための下糸巻きガイドを備えたミシンであって、前記糸駒糸案内と前記下糸ボビンの間の糸の経路内において前記糸駒糸案内より上方に位置して弾性付勢手段によって糸を挟持して張力を与える挟持部と、該挟持部と前記下糸ボビンの間の糸の経路内で前記挟持部より下方に配設して糸の経路を屈曲させる糸掛け部とからなり、前記糸立て台に垂直に保持して装着された糸駒から上方に引き出された糸を前記挟持部と糸掛け部により屈曲させて前記下糸ボビンに案内するようにしたことを特徴とする収納式の糸立て台のための下糸巻きガイドを備えたミシン。
【請求項２】
前記糸掛け部は、前記下糸ボビンの軸の軸方向の略中心に糸を案内するように配設したことを特徴とする請求項１に記載の収納式の糸立て台のための下糸巻きガイドを備えたミシン。
【請求項３】
前記挟持部はベース板と挟持皿とからなり、該挟持皿は弾性付勢手段を介して前記ベース板に弾性押圧されてなることを特徴とする請求項１又は２に記載の収納式の糸立て台のための下糸巻きガイドを備えたミシン。
【請求項４】
前記弾性付勢手段は、ばねが使用されてなることを特徴とする請求項１，２又は３に記載の収納式の糸立て台のための下糸巻きガイドを備えたミシン。
【請求項５】
前記挟持部と前記糸掛け部を設けた糸案内板は常時は前記天板内に収納され、使用時に前記天板上に立設するようにしたことを特徴とする請求項１，２，３又は４に記載の収納式の糸立て台のための下糸巻きガイドを備えたミシン。
【請求項６】
前記挟持部と、前記糸掛け部は、ミシン本体の前記天板上で開閉する天板カバーに配設され、前記糸掛け部と前記下糸ボビンの間の糸の経路内で前記糸掛け部より下方に配設して糸の経路を屈曲させる副糸掛け部を設けて、該副糸掛け部は前記下糸ボビンの軸の軸方向中心位置に糸を案内するように配設したことを特徴とする請求項１，３又は４に記載の収納式の糸立て台のための下糸巻きガイドを備えたミシン。
【発明の詳細な説明】
【技術分野】
【０００１】
本発明は、ミシン本体内に糸立て台を備え、ミシン本体内に糸駒が取り付けられるタイプのミシンにおいて、該糸駒からミシンの下糸巻き軸に装着した下糸ボビンに糸を均等且つ整然とした状態に巻き付けることができる収納式の糸立て台のための下糸巻きガイドを備えたミシンに関する。
【背景技術】
【０００２】
近年家庭用のミシンの糸立て台は糸駒を装着して所定の糸道に糸を案内し、天秤に糸掛けするために、ミシン本体の上方や側方に突出するように配置したものが提案されている。これらは糸駒の交換は容易であるものの、ミシンの外郭寸法より外部に突出することから、天板カバー等に収納する場合には、糸駒を外してから、所定の場所に収納する必要がある。
【０００３】
そのために、ミシンを使用する場合に備えて、わざわざ天板カバーを閉じることなく、天板カバーを開き放した状態のままにすることもあり、ミシン保護の或いは外観性等の観点から好ましくなかった。これに対して本願出願人は、通常の糸駒を装着した糸立て台をミシンの天秤より前方の本体内に収納したものを提案した。
【先行技術文献】
【特許文献】
【０００４】
【特許文献１】特開２００２−３２５９８９号公報
【発明の概要】
【発明が解決しようとする課題】
【０００５】
この場合、糸立て台の上方の糸駒糸案内とミシンの下糸巻き軸に装着した下糸ホビンとの間の糸経路中に下糸巻きのため従来の張力付与手段を設ける場合には、糸駒糸案内と下糸ボビンと張力付与手段が天板に近接し、又略直線状に糸経路が形成されることから、天板への糸の干渉及び張力付与手段からの糸外れがあり、従来の張力付与手段を設けることは困難であった。本発明の目的（解決しようとする技術的課題）は、天板への糸の干渉がなく、張力付与手段からの糸外れがない張力付与手段を備えた下糸巻装置を提供することにある。
【課題を解決するための手段】
【０００６】
そこで、発明者は、上記課題を解決すべく、鋭意，研究を重ねた結果、請求項１の発明を、ミシン本体内に収納されて糸駒を垂直に保持して装着する糸立て台と、該糸立て台の上方に配設されて糸駒からの糸の引き出しを案内する糸駒糸案内と、該糸駒糸案内により案内された糸をミシンの下糸巻き軸に装着された下糸ボビンに案内するようにした収納式の糸立て台のための下糸巻きガイドを備えたミシンであって、前記糸駒糸案内と前記下糸ボビンの間の糸の経路内において前記糸駒糸案内より上方に位置して弾性付勢手段によって糸を挟持して張力を与える挟持部と、該挟持部と前記下糸ボビンの間の糸の経路内で前記挟持部より下方に配設して糸の経路を屈曲させる糸掛け部とからなり、前記糸立て台に垂直に保持して装着された糸駒から上方に引き出された糸を前記挟持部と糸掛け部により屈曲させて前記下糸ボビンに案内するようにしたことを特徴とする収納式の糸立て台のための下糸巻きガイドを備えたミシンとしたことにより、上記課題を解決した。
【０００７】
請求項２の発明を、前記糸掛け部は、前記下糸ボビンの軸の軸方向の略中心に糸を案内するように配設したことを特徴とする請求項１に記載の収納式の糸立て台のための下糸巻きガイドを備えたミシンとしたことにより、上記課題を解決した。請求項３の発明を、前記挟持部はベース板と挟持皿とからなり、該挟持皿は弾性付勢手段を介して前記ベース板に弾性押圧されてなることを特徴とする請求項１又は２に記載の収納式の糸立て台のための下糸巻きガイドを備えたミシンとしたことにより、上記課題を解決した。
【０００８】
請求項４の発明を、前記弾性付勢手段は、ばねが使用されてなることを特徴とする請求項１，２又は３に記載の収納式の糸立て台のための下糸巻きガイドを備えたミシンとしたことにより、上記課題を解決した。請求項５の発明を、前記挟持部と前記糸掛け部を設けた糸案内板は常時は前記天板内に収納され、使用時に前記天板上に立設するようにしたことを特徴とする請求項１，２，３又は４に記載の収納式の糸立て台のための下糸巻きガイドを備えたミシンとしたことにより、上記課題を解決した。
【０００９】
請求項６の発明を、前記挟持部と、前記糸掛け部は、ミシン本体の前記天板上で開閉する天板カバーに配設され、前記糸掛け部と前記下糸ボビンの間の糸の経路内で前記糸掛け部より下方に配設して糸の経路を屈曲させる副糸掛け部を設けて、該副糸掛け部は前記下糸ボビンの軸の軸方向中心位置に糸を案内するように配設したことを特徴とする請求項１，３又は４に記載の収納式の糸立て台のための下糸巻きガイドを備えたミシンとしたことにより、上記課題を解決した。
【発明の効果】
【００１０】
請求項１の発明では、弾性付勢手段によって糸を挟持する挟持部と、糸掛け部が天板内に収納可能に具備されたものである。このような構成によって、弾性付勢手段が挟持部に作用して、該挟持部と前記下糸ボビンとの間の糸には常時緊張が備わり、さらに糸掛け部によって、下糸ボビンとの間の糸に適正な緊張が与えられ、糸外れすることがなく且つ弛みの生じない巻き付けができる。
【００１１】
請求項２の発明では、糸掛け部は、前記下糸ボビンの軸の軸方向中心に糸を案内するように配設した構成である。このような構成によって、下糸ボビンには軸方向中心位置より、糸が軸の上下方向に往復しながら巻き付けられることになり、均等且つ整然とした状態で糸の巻き付けができる。
【００１２】
請求項３の発明では、挟持部は挟持皿とベース板とからなる構成としたことにより、極めて簡単な構成にすることができる。請求項４の発明では、弾性付勢手段は、ばねが使用されてなる構成としたことにより、極めて簡単な構成によって、安定し、且つ適正な緊張を糸に与えることができる。
【００１３】
請求項５の発明では、糸駒糸案内に設けた挟持部と糸掛け部とは、下糸巻きの使用時には立設し、通常時には天板内に収納可能とした構成としたことにより、糸経路を複雑にすることなくコンパクトに天板上に収めることができる。しかも、挟持部と糸掛け部は糸案内板に装着され、立設されることにより糸経路が天板より上方に位置することで天板部分との糸の接触を防止して円滑な下糸巻きが行えるなどの効果を得る事ができる。
【００１４】
請求項６の発明では、前記挟持部と、前記糸掛け部は、ミシン本体の前記天板上で開閉する天板カバーに配設され、且つ前記糸掛け部と前記下糸ボビンの間の糸の経路内で前記糸掛け部より下方に配設して糸の経路を屈曲させる副糸掛け部を設けた構成とし、該副糸掛け部は前記下糸ボビンの軸の軸方向中心位置に糸を案内するように配設したものである。これによって、部品の点数を減らし、構造をより一層簡単に構成することができる。
【図面の簡単な説明】
【００１５】
【図１】（Ａ）は本発明を具備したミシンの正面略示図、（Ｂ）は（Ａ）の（ア）部拡大図である。
【図２】（Ａ）は本発明を具備したミシンの天板部分の一部省略した要部斜視図、（Ｂ）は本発明における糸案内板に挟持部，糸掛け部を装着した実施形態の拡大斜視図、（Ｃ）は本発明における糸案内板に挟持部，糸掛け部を装着した実施形態の拡大断面図、（Ｄ）は糸を挟持した状態における（Ｃ）の（イ）部拡大図である。
【図３】（Ａ）は挟持部と下糸ボビンとの位置関係を示す要部拡大図、（Ｂ）は糸駒から下糸ボビンに糸を巻き付けようとする状態の要部拡大図、（Ｃ）は糸駒から下糸ボビンに糸を巻き付けている状態の要部拡大図である。
【図４】（Ａ）は挟持部と糸掛け部を天板カバーに装着した実施形態の正面略示図、（Ｂ）は挟持部と糸掛け部を天板カバーに装着した実施形態の側面略示図、（Ｃ）は挟持部と糸掛け部を天板カバーに装着した実施形態の一部省略した要部斜視図、（Ｄ）は挟持部と糸掛け部を天板カバーに装着した実施形態における副糸掛け部と下糸ボビンとの位置関係を示す要部拡大図である。
【発明を実施するための形態】
【００１６】
以下、本発明の実施の形態を図面に基づいて説明する。本発明は、主にミシン本体Ａ，天板１，天板カバー２，糸駒室３，糸立て台４，糸駒糸案内５，挟持部６，糸掛け部７，糸案内板８とから構成される（図１，図２参照）。ミシン本体Ａの天板１には、糸駒室３の開口部３２と、糸駒糸案内５と天秤１５との間の糸道として上糸を案内する上糸糸道１１、その他のアタッチメント等の収納部が設けられている。
【００１７】
天板１には、該天板１を塞ぐ天板カバー２が備わっている〔図１（Ａ），図４（Ａ），（Ｂ）参照〕。該天板カバー２は、天板１にヒンジ等を介して垂直面上を回動自在に開閉する構成となっている。糸駒室３は、ミシン本体Ａの天秤１５付近で天板１から下方に亘って設けられている〔図１（Ｂ），図２（Ａ）等参照〕。
【００１８】
具体的には、操作者側から見てミシン本体Ａの天秤１５の位置よりも先端部寄り（左側）の位置に配置されている〔図１（Ａ）参照〕。そして、天板１の表面に糸駒室３の開口部３２が位置している。糸駒室３は、略コップ形状又は円筒形状のケース部３１とその上方に位置する前記開口部３２とからなる〔図１（Ｂ）参照〕。
【００１９】
糸立て台４は、ミシン本体Ａ内に収納されて、糸駒９１を垂直に保持して装着する役目をなすものである。糸立て台４は、台座部４１と糸駒軸４２とから構成される。糸立て台４は、前記糸駒室３のケース部３１内に収納される〔図１（Ｂ），図２（Ａ）等参照〕。台座部４１は、円板状に形成され、該台座部４１の直径中心位置に前記糸駒軸４２が垂直に装着されている〔図１（Ｂ）参照〕。糸立て台４は、糸駒９１の直径中心に形成された軸孔に糸駒軸４２を挿通して、糸駒９１を台座部４１に載置する〔図１（Ｂ）参照〕。
【００２０】
つまり、糸駒９１は、軸方向が垂直となるように糸立て台４に設置され、さらに糸駒押さえ４３により、糸駒室３に糸駒９１を安定した状態にて収納する〔図１（Ｂ），図２（Ａ）等参照〕。前記糸駒押さえ４３は、合成樹脂等にて円板状に形成され、その直径中心に押さえ用貫通孔４３ａが形成されている。そして、該押さえ用貫通孔４３ａは糸駒軸４２が比較的緩い圧入状態で挿入し、固定することができるようになっている。
【００２１】
次に、糸駒糸案内５は、前記糸駒室３の開口部３２付近に装着され〔図２（Ａ）参照〕、糸駒室３内に装着された糸駒９１から糸ｎが引き出されるように案内する役目をなす〔図１（Ｂ），図２（Ａ）参照〕。糸駒糸案内５は、揺動アーム部５１と該揺動アーム部５１の自由先端に形成された案内孔５２とから構成される〔図２（Ａ）参照〕。
【００２２】
糸駒糸案内５は、開口部３２上を中心位置と開口部３２から外れた退避部１２との間を揺動する構成となっており、開口部３２から糸駒９１を出し入れするときには、糸駒糸案内５を開口部３２から外れた位置にある退避部１２に揺動移動して退避することができるようになっている。
【００２３】
前記糸駒室３には、前記糸立て台４を糸駒９１の収納位置を保持する係止手段４５と、糸駒９１を前記糸駒室３の開口部３２から取り出せる位置まで前記糸立て台４を上昇させる上昇手段４４が具備されている〔図１（Ｂ），図２（Ａ）等参照〕。前記係止手段４５は、保持（ロック）状態を解除することにより、上昇手段４４が作用して、糸立て台４の台座部４１を上昇させる。係止手段４５は、糸駒糸案内５に連結され、該糸駒糸案内５の揺動操作にて前記係止手段４４の保持及び保持の解除をする役目を兼用することもある。
【００２４】
次に、挟持部６及び糸掛け部７は、糸案内板８に装着されている。挟持部６は、前記糸駒糸案内５と、前記下糸ボビン９２との間の糸ｎの経路内において、前記糸駒糸案内５より上方に位置して弾性付勢手段６３によって糸ｎを挟持して張力を与える役目をなす。また、糸掛け部７は、該挟持部６と前記下糸ボビン９２との間の糸ｎの経路内で前記挟持部６より下方に配設されて糸ｎの経路を屈曲させる役目をなす。弾性付勢手段６３は、具体的には、ばねが使用され、コイルばねが好適である。
【００２５】
前記挟持部６は、ベース板６１と挟持皿６２と弾性付勢手段６３と規制軸６４とから構成される〔図２（Ｂ），（Ｃ），（Ｄ）参照〕。ベース板６１は、略長方形状の板片であり、金属製又は合成樹脂製である。また、挟持皿６２は、略円板状に形成され、その外周には円周に沿って断面弧状とした立上り片６２ａが形成されている。該立上り片６２ａは、挟持される糸の切断を防止する役目をなす。挟持皿６２には、その直径中心に貫通孔６２ｂが形成されている〔図２（Ｃ），（Ｄ）参照〕。
【００２６】
前記ベース板６１には、規制軸６４が前記ベース板６１に対して直角に固着されている。規制軸６４には、軸部６４ａと規制板片６４ｂとから構成されている。前記軸部６４ａは、挟持皿６２の貫通孔６２ｂに遊挿し、規制板片６４ｂによって、規制軸６４から外れないような構成としている。
【００２７】
そして、前記挟持皿６２と前記規制板片６４ｂとの間に弾性付勢手段６３が装着され、挟持皿６２は、ベース板６１に弾性付勢を有して、挟持皿６２がベース板６１に弾性押圧される〔図２（Ｃ）参照〕。そして、挟持部６の挟持皿６２とベース板６１とによって、糸ｎが押圧挟持され〔図２（Ｄ）参照〕、挟持部６と下糸ボビン９２との間に亘る糸ｎに緊張を与えるものである。該下糸ボビン９２は、ミシン本体Ａの天板１上に設けられた下糸巻き軸１４に装着されている。
【００２８】
前記挟持部６の下方には糸掛け部７が配設形成されている。具体的には、鉤形状をなし、前記ベース板６１に一体的に形成され、その水平方向における長手方向の一端側は、ベース板６１とは不連続で空隙７ａが存在し〔図２（Ｂ）参照〕、該空隙７ａより糸ｎを挿入して、糸掛け部７内に糸ｎを配置することができるようになっている。
【００２９】
前記糸掛け部７は、糸駒９１から下糸ボビン９２における糸ｎの経路において、下糸ボビン９２の軸９２ａの軸方向中心位置に糸ｎを送る構成としている。具体的には、糸掛け部７の位置で且つ下糸ボビン９２に糸ｎを移送する位置の高さ寸法Ｈａと、下糸ボビン９２の軸９２ａの軸方向中心位置の高さ寸法Ｈｂとは、等しく（略等しくてもかまわない）なるように設定される〔図３（Ａ）参照〕。
つまり
0005902969.tif 000002
である。ここで、高さ寸法Ｈａは、糸掛け部７の下端となる〔図３（Ａ）参照〕。
【００３０】
このように、糸掛け部７と下糸ボビン９２の軸９２ａの軸方向中心位置との高さを同一にすることで、挟持部６から移動する糸ｎを、糸掛け部７にて方向を屈曲し、下糸ボビン９２の軸９２ａの軸方向の略中心位置に糸ｎを送ることができる〔図３（Ｂ）参照〕。したがって、下糸ボビン９２の軸９２ａの軸方向の略中心位置より、下糸ボビン９２の軸９２ａの上下方向に往復しながら巻き付けられることになり、均等且つ整然とした状態で糸の巻き付けができる〔図３（Ｃ）参照〕。
【００３１】
前記挟持部６と前記糸掛け部７は、天板１に収納される構成としており、その収納構成の第１実施形態としては、糸案内板８に装着されるものである（図１乃至図３参照）。糸案内板８は、天板１と同様に合成樹脂にて形成されたものであり、天板１に対して可倒式となっている。
【００３２】
その可倒構造の一例としては、糸案内板８の下端位置に枢支ピン８１が設けられ、該枢支ピン８１によって、糸案内板８の折り畳みの中心とし、折り畳みタイプとしたものである〔図２（Ｃ）参照〕。天板１には、前記糸案内板８の装着箇所に、収納用窪み部１３が形成され、収納時には、糸案内板８が前記挟持部６及び糸掛け部７と共に前記収納用窪み部１３に収納されるようになっている。
【００３３】
本発明の第２実施形態として、前記挟持部６と、前記糸掛け部７は、ミシン本体Ａの開閉する天板カバー２に装着される実施形態も存在する（図４参照）。この実施形態では、ベース板６１が天板カバー２の裏面側に固着される。天板カバー２は、垂直状に維持されるものとは限らず、多少の傾斜を有して開いた状態となる〔図４（Ｂ）参照〕。そのために、ベース板６１によって、挟持部６及び糸掛け部７が垂直面上に配置されるようにベース板６１には屈曲片６１ａが形成されることもある〔図４（Ｃ）参照〕。
【００３４】
また、この実施形態では、糸掛け部７と共に、前記天板１上には副糸掛け部７１が装着されている。該副糸掛け部７１は、前記下糸ボビン９２の軸方向中心位置に糸ｎを送るように高さが設定されるものであり、前述したように、副糸掛け部７１の高さと、下糸ボビン９２の軸９２ａの軸方向中心位置の高さが等しく（略等しくてもかまわない）なるように設定される。
【００３５】
具体的には、副糸掛け部７１の下糸ボビン９２に糸ｎを移送する位置の高さ寸法Ｈａと、下糸ボビン９２の軸９２ａの軸方向中心位置の高さ寸法Ｈｂとは、等しく（略等しくてもかまわない）なるように設定される〔図４（Ｄ）参照〕。
つまり
0005902969.tif 000003
である。また、副糸掛け部７１は、天板カバー２を閉じたときに、該天板カバー２と干渉しないように、前記副糸掛け部７１を天板１上に可倒構造としている〔図４（Ｃ）参照〕。
【符号の説明】
【００３６】
Ａ…ミシン本体、１…天板、１４…下糸巻き軸、２…天板カバー、４…糸立て台、
５…糸駒糸案内、６…挟持部、６３…弾性付勢手段、７…糸掛け部、７１…副糸掛け部、９１…糸駒、９２…下糸ボビン。
【図１】
0005902969.tif 000004
【図２】
0005902969.tif 000005
【図３】
0005902969.tif 000006
【図４】
0005902969.tif 000007